【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
端末であって、
前記端末の表面への操作を検出する検出部と、
前記表面に配置され、形状が可変に構成された形状可変部と、
前記表面に表示を行うディスプレイと、
前記ディスプレイによって前記表面内の場所に表示されたアイコンの機能が、前記ディスプレイによって表示されたオブジェクトであって、前記アイコンへドラッグされたオブジェクトまたはドラッグされるオブジェクトに対しては許可されていない場合、前記表面内の前記場所が変形するように、前記検出部によって検出された操作に基づいて、前記形状可変部の制御を行う制御部と、
を有することを特徴とする端末。
【請求項２】
前記制御部は、凸形状および凸形状とは異なる形状のうちの少なくとも一方に前記表面が変形するように、前記制御を行うことを特徴とする請求項１に記載の端末。
【請求項３】
前記制御部は、前記場合は、表示された前記アイコンが変化するように、前記ディスプレイの制御を行うことを特徴とする請求項１または請求項２に記載の端末。
【請求項４】
前記端末は、撮像装置であり、
前記撮像装置は、撮像光学系と、前記撮像光学系から受光する撮像素子と、を有する、
ことを特徴とする請求項１ないし請求項３のうちいずれか１項に記載の端末。
【請求項５】
端末であって、
前記端末の表面への操作を検出する検出部と、
前記表面に配置され、形状が可変に構成された形状可変部と、
前記形状可変部の制御を行う制御部と、
を有し、
前記制御部は、第１形状と前記第１形状とは異なる第２形状とに交互に前記形状可変部が形成されるようにして、前記検出部により検出された操作に関して、ユーザに情報を与える、
ことを特徴とする端末。
【請求項６】
前記第２形状は、凸形状であることを特徴とする請求項５に記載の端末。
【請求項７】
前記制御部は、前記検出部により検出された、ある場所への操作に基づいてき、該場所での前記形状可変部が前記第１形状と前記第２形状とに交互に形成されるようにすることを特徴とする請求項５または請求項６に記載の端末。
【請求項８】
前記表面に表示を行うディスプレイを有し、
前記制御部は、前記ディスプレイにより前記前記場所に表示されたアイコンに基づいて、該場所での前記形状可変部が前記第１形状と前記第２形状とに交互に形成されるようにする、
ことを特徴とする請求項７に記載の端末。
【請求項９】
前記制御部は、前記ディスプレイにより表示されたオブジェクトがドラッグされた、前記場所に表示されたアイコンの機能が前記オブジェクトに対して許可されていない場合、該場所での前記形状可変部が前記第１形状と前記第２形状とに交互に形成されるようにすることを特徴とする請求項７または請求項８に記載の端末。
【請求項１０】
前記制御部は、前記形状可変部のすべてが前記第１形状と前記第２形状とに交互に形成されるようにすることを特徴とする請求項５に記載の端末。
【請求項１１】
前記制御部は、前記検出部により検出された操作に応じて、前記形状可変部が前記第１形状と前記第２形状とに交互に形成されるようにすることを特徴とする請求項５に記載の端末。
【請求項１２】
前記制御部は、前記ディスプレイにより表示された前記アイコンおよび前記オブジェクトに基づいて、前記場所での前記形状可変部が前記第１形状と前記第２形状とに交互に形成されるようにすることを特徴とする請求項９に記載の端末。
【請求項１３】
端末であって、
前記端末の表面への操作を検出する検出部と、
前記表面に配置され、形状が可変に構成された形状可変部と、
前記表面に表示を行うディスプレイと、
前記検出部により検出された操作に基づいて、前記表面における場所で予め定められた条件を満たすスワイプ操作が実行されると判断した場合、前記表面の前記場所が変形するように、前記形状可変部の制御を行う制御部と、
を有することを特徴とする端末。
【請求項１４】
前記制御部は、前記スワイプ操作の、推定された軌跡に基づいて、前記表面の前記場所を特定することを特徴とする請求項１３に記載の端末。
【請求項１５】
前記制御部は、前記検出部により検出された操作の速度と方向とに基づいて、前記推定された軌跡を得ることを特徴とする請求項１４に記載の端末。
【請求項１６】
前記検出部は、画像の変更のための前記スワイプ操作を検出することを特徴とする請求項１３に記載の端末。
【請求項１７】
前記制御部は、前記予め定められた条件を前記画像の属性の変更に関する条件とすることを特徴とする請求項１６に記載の端末。
【請求項１８】
撮像装置であって、
受光を行う撮像素子と、
前記撮像装置のユーザインターフェースとして機能する請求項１ないし請求項１７のうちいずれか１項に記載の端末と、
を有することを特徴とする撮像装置。
【手続補正２】
【補正対象書類名】明細書
【補正対象項目名】発明の名称
【補正方法】変更
【補正の内容】
【発明の名称】端末及び撮像装置
【手続補正３】
【補正対象書類名】明細書
【補正対象項目名】０００６
【補正方法】変更
【補正の内容】
【０００６】
本発明は、例えば、ユーザへの通知の点で有利な端末を提供することを目的とする。
【手続補正４】
【補正対象書類名】明細書
【補正対象項目名】０００７
【補正方法】変更
【補正の内容】
【０００７】
本発明の端末は、前記端末の表面への操作を検出する検出部と、前記表面に配置され、形状が可変に構成された形状可変部と、前記表面に表示を行うディスプレイと、前記ディスプレイによって前記表面内の場所に表示されたアイコンの機能が、前記ディスプレイによって表示されたオブジェクトであって、前記アイコンへドラッグされたオブジェクトまたはドラッグされるオブジェクトに対しては許可されていない場合、前記表面内の前記場所が変形するように、前記検出部によって検出された操作に基づいて、前記形状可変部の制御を行う制御部と、を有することを特徴とする。
【手続補正５】
【補正対象書類名】明細書
【補正対象項目名】０００８
【補正方法】変更
【補正の内容】
【０００８】
本発明によれば、例えば、ユーザへの通知の点で有利な端末を提供することができる。
【手続補正６】
【補正対象書類名】明細書
【補正対象項目名】００３２
【補正方法】変更
【補正の内容】
【００３２】
図４（ｃ）は、凸形状を指先で触れた状態を示している。この状態では、指先４０１は透明シート３０１に触れているものの、検出閾値４０２よりも高いため、ユーザ入力は検出されない。図４（ｄ）は、凸形状を指先４０１で押し込んだ状態を示している。この状態では、指先４０１は検出閾値４０２よりも低くなるため、触覚ＵＩはユーザ入力を検出する。すなわち、凸形状を形成した領域においては、凸形状を押しこむ操作を行うことで初めてユーザ入力を検出するため、ユーザは従来のボタンと同様の操作感を得ることができる。
【手続補正７】
【補正対象書類名】明細書
【補正対象項目名】００３４
【補正方法】変更
【補正の内容】
【００３４】
Ｓ５０１では指先４０１の高さが検出閾値４０２より低いか判断し、低い場合（ユーザ入力があることを検出中である場合）はＳ５０２へ、高い場合（ユーザ入力がない場合）はＳ５１１へと進む。
Ｓ５０２では操作が継続している間のユーザ入力位置が一定であるか判断し、一定である場合はＳ５０３へ、一定でない（移動している、スライドしている）場合はＳ５０８へと進む。
Ｓ５０３ではユーザ入力位置が凸形状位置であるかどうか判断し、凸形状位置である場合はＳ５０４へ、凸形状位置でない場合はＳ５０５へと進む。
Ｓ５０４ではユーザ入力は押し込み操作だと判断し、処理を終了する。
Ｓ５０５では、ユーザ入力がある閾値時間以上経過したか判断し、経過していない場合はＳ５０６へ、経過した場合はＳ５０７へと進む。
Ｓ５０６ではユーザ入力はタッチ操作だと判断し、処理を終了する。
Ｓ５０７ではユーザ入力は長押し操作だと判断し、処理を終了する。
Ｓ５０８では、直前のユーザ入力が長押し操作かスライド操作２であったか判断し、長押し操作かスライド操作２であった場合はＳ５１０へ、長押し操作かスライド操作２でなかった場合はＳ５０９へと進む。
Ｓ５０９ではユーザ入力はスライド操作１だと判断し、処理を終了する。
Ｓ５１０ではユーザ入力はスライド操作２だと判断し、処理を終了する。
Ｓ５１１は指の高さが検出閾値内にない場合であり、ユーザ入力が無いと判断できるので、処理を終了する。
【手続補正８】
【補正対象書類名】明細書
【補正対象項目名】００５０
【補正方法】変更
【補正の内容】
【００５０】
図８（ｄ）はスライド操作２終了時の図であり、図８（ｃ）の状態で指を離した際の動作を示す。画像８は保護されているため削除されず、即ちスライド操作２前の図８（ａ）と同じ状態となる。また、削除ボタン２０２を含む各ボタンは、平面状態に変化する（Ｓ６０８）。
【手続補正９】
【補正対象書類名】明細書
【補正対象項目名】００５９
【補正方法】変更
【補正の内容】
【００５９】
図９は、本発明の第２の実施例であるユーザインターフェース装置の構成を示している。なお、図１と同様の構成については同符号を付し、説明を省略する。
形状制御部９０５は実施例１とは異なる判断にて動作するため別符号を付す。
アクチュエータ９０６及び形状可変部９０７は、実施例１におけるアクチュエータ１０６及び形状可変部１０７と異なるため別符号を付す。これらの詳細については後述する。
【手続補正１０】
【補正対象書類名】明細書
【補正対象項目名】００７２
【補正方法】変更
【補正の内容】
【００７２】
Ｓ１１０１ではユーザ操作がスライド操作１であるか判断し、スライド操作１である場合はＳ１１０２へ、スライド操作１でない場合はＳ１１０４へ進む。
Ｓ１１０２では切り替える前後の画像のグループが同一か判断し、同一でない場合はＳ１１０３へ、同一である場合はＳ１１０４へ進む。
Ｓ１１０３では、全ての形状可変部を凸状態にし、処理を終了する。
Ｓ１１０４では、全ての形状可変部を平坦な状態にし、処理を終了する。
【手続補正１１】
【補正対象書類名】図面
【補正対象項目名】図９
【補正方法】変更
【補正の内容】
【図９】
2017084253.tif 000001
【手続補正１２】
【補正対象書類名】図面
【補正対象項目名】図１１
【補正方法】変更
【補正の内容】
【図１１】
2017084253.tif 000002